(57)【要約】【課題】ポンプブロックの機種によらずに、共通の防振ゴム部材を用いることができるポンプブロックの防振装置を提供する。【解決手段】ポンプブロック２と基台との間に防振ゴム部材７を備える。ポンプ３とポンプモータ４とを支持する支持部材５と、天板部１４と脚部１５とを備える防振ゴム部材７と、天板部１４と一体的に形成された接続部材８と、脚部１５と一体的に形成された取付部材２１とを備える。支持部材５は、天板部１４の端縁に係止される係止部材９ａ，９ｂを備える。接続部材８は天板部１４に内蔵される部分１７から脚部１５の内部に延出された第１の変形規制部材２２を備え、取付部材２１は脚部１５に内蔵される部分２０から脚部１５の内部に延出された第２の変形規制部材２３を備え、両変形規制部材２２，２３は垂直方向及び水平方向で相対向して配設されて、相互に近接することにより該防振ゴム部材７の変形を規制する。【選択図】  図１
2006291855.tif 000002
【特許請求の範囲】
【請求項１】
ポンプとポンプモータとからなるポンプブロックと、該ポンプブロックを基台に取り付けたときに該ポンプブロックと該基台との間に配設されて該ポンプブロック駆動時の振動を低減する防振ゴム部材とを備えるポンプブロックの防振装置において、
ポンプとポンプモータとを支持する支持部材と、ポンプモータが載置される天板部と該天板部から垂下される角筒状の脚部とを備える防振ゴム部材と、該天板部と一体的に形成されて該支持部材に接続される金属製の接続部材と、該脚部と一体的に形成されて該脚部を該基台に取り付ける金属製の取付部材とを備えることを特徴とするポンプブロックの防振装置。
【請求項２】
前記支持部材は、前記天板部の端縁に係止される係止部材を備えることを特徴とする請求項１記載のポンプブロックの防振装置。
【請求項３】
前記接続部材は前記天板部に内蔵される部分から前記脚部の内部に延出された第１の変形規制部材を備え、前記取付部材は該脚部に内蔵される部分から該脚部の内部に延出された第２の変形規制部材を備え、両変形規制部材は垂直方向及び水平方向で相対向して配設されて、前記防振ゴム部材が変形したときに該防振ゴム部材を構成するゴムを介して相互に近接することにより該防振ゴム部材の変形を規制することを特徴とする請求項１または請求項２記載のポンプブロックの防振装置。
【発明の詳細な説明】
【技術分野】
【０００１】
本発明は、給湯器内に水や湯を循環させる循環ポンプ等のポンプブロックの防振装置に関するものである。
【背景技術】
【０００２】
給湯器等では、装置内に水や湯を循環させる循環ポンプを備えるものがある。前記循環ポンプは、ポンプ本体と該ポンプ本体を駆動するポンプモータとからなるポンプブロックを構成し、例えば前記給湯器のケーシング等を基台として配設される。
【０００３】
従来、前記ポンプブロック駆動時の振動を低減するために、該ポンプブロックと前記基台との間に配設された防振ゴムを備える防振装置が知られている。前記防振装置として、例えば、板状のゴム部材の四隅近傍に設けられた貫通孔を介して前記ポンプブロックを該ゴム部材にビス止めすると共に、該ゴム部材の四隅に設けられた脚部を介して該ゴム部材を前記基台に取り付けるものがある（特許文献１参照）。
【０００４】
前記防振装置によれば、単一の前記ゴム部材の四隅に前記脚部を設け、該脚部を介して前記基台に取り付けるようにしたので、部品点数を低減することができ、しかも容易に組み立てることができるとされている。
【０００５】
しかしながら、前記防振装置は、前記ゴム部材に設けた貫通孔を介して前記ポンプブロックを該ゴム部材にビス止めするものであるので、該ポンプブロックの機種毎に該ゴム部材を用意しなければならないという不都合がある。前記ゴム部材は、金型内で加硫することにより製造されるので、ポンプブロックの機種毎に該ゴム部材を用意するためには、高価な金型をポンプブロックの機種に応じて用意しなければならず、製造コストの増加が避けられない。
【特許文献１】実開平６−８３９７３号公報
【発明の開示】
【発明が解決しようとする課題】
【０００６】
本発明は、かかる不都合を解消して、ポンプブロックの機種によらずに、共通の防振ゴム部材を用いることができるポンプブロックの防振装置を提供することを目的とする。
【課題を解決するための手段】
【０００７】
かかる目的を達成するために、本発明は、ポンプとポンプモータとからなるポンプブロックと、該ポンプブロックを基台に取り付けたときに該ポンプブロックと該基台との間に配設されて該ポンプブロック駆動時の振動を低減する防振ゴム部材とを備えるポンプブロックの防振装置において、ポンプとポンプモータとを支持する支持部材と、ポンプモータが載置される天板部と該天板部から垂下される角筒状の脚部とを備える防振ゴム部材と、該天板部と一体的に形成されて該支持部材に接続される金属製の接続部材と、該脚部と一体的に形成されて該脚部を該基台に取り付ける金属製の取付部材とを備えることを特徴とする。
【０００８】
本発明のポンプブロックの防振装置によれば、前記ポンプとポンプモータとからなるポンプブロックは前記支持部材により支持され、該支持部材を介して、前記防振ゴム部材の天板部と一体的に形成された接続部材に接続される。従って、前記ポンプブロックの機種に応じて前記支持部材を変えればよく、前記防振ゴム部材は該ポンプブロックの機種によらず共通に用いることができる。
【０００９】
また、本発明のポンプブロックの防振装置によれば、前記防振ゴム部材は、前記接続部材を備えるので前記ポンプブロックの組み付けを容易に行うことができ、しかも、前記天板部から垂下される脚部に一体的に形成された取付部材を備えるので前記基台への取り付けを容易に行うことができる。
【００１０】
本発明のポンプブロックの防振装置において、前記支持部材は、前記天板部の端縁に係止される係止部材を備えることが好ましい。前記支持部材は、前記係止部材を備えることにより、前記接続部材との接続部と共に、該係止部材の係止部においても、前記ポンプブロックの荷重を支持することができる。
【００１１】
前記構成のポンプブロックの防振装置では、前記防振ゴム部材の天板部には前記接続部材が内蔵されており、前記脚部には前記取付部材が内蔵されている。前記接続部材と前記取付部材は、いずれも金属製であり、それぞれが内蔵された部分で前記防振ゴム部材を補強する効果を得ることができる。ところが、前記取付部材は前記脚部を前記基台に取り付ける必要上、該脚部の下方に設けられており、前記接続部材と該取付部材との間の前記脚部にはゴムだけからなる部分がある。
【００１２】
前記ゴムだけからなる部分は、例えば、梱包落下時のような大きな衝撃が加わると、大きく変形して、前記ポンプブロックを支持できなくなることが懸念される。前記ゴムだけからなる部分が前記ポンプブロックを支持することができないと、該ポンプブロックが給湯器本体等に衝突して給湯器本体等に打痕等を発生させる虞がある。
【００１３】
そこで、本発明のポンプブロックの防振装置は、さらに、前記接続部材は前記天板部に内蔵される部分から前記脚部の内部に延出された第１の変形規制部材を備え、前記取付部材は該脚部に内蔵される部分から該脚部の内部に延出された第２の変形規制部材を備え、両変形規制部材は垂直方向及び水平方向で相対向して配設されて、前記防振ゴム部材が変形したときに該防振ゴム部材を構成するゴムを介して相互に近接することにより該防振ゴム部材の変形を規制することを特徴とする。
【００１４】
本発明のポンプブロックの防振装置によれば、前記両変形規制部材を備えることにより、梱包落下時のような大きな衝撃が加わっても、前記防振ゴム部材の変形が規制されるので、該防振ゴム部材により前記ポンプブロックを確実に支持することができ、該ポンプブロックが給湯器本体等に衝突して打痕等を発生させることを防止することができる。
【発明を実施するための最良の形態】
【００１５】
次に、添付の図面を参照しながら本発明の実施の形態についてさらに詳しく説明する。図１は本実施形態の防振装置をそなえるポンプブロックの構成を示す側面図、図２は図１に示すブラケットの平面図、図３は図２のＩＩＩ−ＩＩＩ線断面図、図４は図１に示す防振ゴム部材の平面図、図５は図４のＶ−Ｖ線断面図、図６は図４のＶＩ−ＶＩ線断面図、図７は図６（ｂ）の要部拡大図である。
【００１６】
図１に示すように、本実施形態の防振装置１は、例えば、給湯器等において装置内に水や湯を循環させるポンプブロック２に用いられるものである。ポンプブロック２は、ポンプ本体３とポンプモータ４とからなり、ポンプ本体３とポンプモータ４とはブラケット５に螺着されて支持されており、ブラケット５は接続片６を介して防振ゴム部材７と一体的に形成された接続部材８にビス止めされると共に、上下一対の係止片９ａ，９ｂで防振ゴム部材７の端縁１０を挟持することにより端縁１０に係止されている。
【００１７】
尚、ポンプモータ４は、胴部に取着された鍔部材４ａの下端部により防振ゴム部材７の上面に載置され、その荷重の一部が支持されている。
【００１８】
ブラケット５は、図２及び図３に示すように、略矩形状の平板であり、下端縁両側部に左右一対の接続片６を備えるともに、下端縁中央部には上下一対の係止片９ａ，９ｂを備えている。接続片６は、防振ゴム部材７の接続部材８にビス止めするためのビス孔６ａが形成されている。また、ブラケット５は、中心部に貫通孔１１を備え、貫通孔１１を介してポンプモータ４の駆動軸をポンプ本体３に接続するようになっている。貫通孔１１の周囲には、複数のモータ取付孔部１２が形成されていると共に、周縁に沿って複数のポンプ取付孔部１３が形成されている。
【００１９】
防振ゴム部材７は、図４、図５（ａ）、図６（ａ）に示すように、天板部１４と、天板部１４から垂下される角筒状の脚部１５とを備える。天板部１４は、脚部１５から側方に延出された庇部１６を備え、庇部１６は両側部に設けられた一対の庇突出部１６ａと、庇突出部１６ａ，１６ａに挟まれた庇凹部１６ｂとからなる。天板部１４は、インサート成形により一体的に形成された金属板１７を内蔵しており、金属板１７は庇突出部１６ａの側方から露出する部分により接続部材８を形成している。接続部材８は、３か所で直角状に屈曲したフック形状を備えており、先端部にブラケット５の接続片６がビス止めされるビス孔８ａが形成されている。尚、庇凹部１６ｂは、ブラケット５の係止片９ａ，９ｂが係止される端縁１０となっている。
【００２０】
脚部１５は、略四角形状の内周壁１８を備えると共に、外周側には庇部１６が形成されている方向を除く３方向に延出する接地部１９を備えている。また、脚部１５は、インサート成形により一体的に形成された金属板２０を内蔵しており、金属板２０は接地部１９から露出する部分により、取付部材２１を形成している。取付部材２１は、庇部１６が形成されている方向を除く３方向に形成され、それぞれ１つまたは２つの取付孔部２１ａを備えており、取付孔部２１ａを介して脚部１５を図示しない基台に螺着するようになっている。
【００２１】
尚、防振ゴム部材７は天板部１４を貫通して、脚部１５の内周壁１８に囲まれた空間に連通する貫通孔１４ａを備え、貫通孔１４ａには金属板１７が露出している。そして、金属板１７は、貫通孔１４ａに露出する部分に貫通孔１７ａを備えている。
【００２２】
本実施形態の防振装置１では、まず、取付部材２１の取付孔部２１ａを用いて、防振ゴム部材７の脚部１５を図示しない基台に螺着する。次に、ブラケット５の接続片６と防振ゴム部材７の接続部材８とを、ビス孔６ａ，８ａを用いてビス止めし、ブラケット５と接続部材８とを接続する。このとき、ブラケット５の係止片９ａ，９ｂを、防振ゴム部材７の庇凹部１６ｂに係止する。そして、ブラケット５のモータ取付孔部１２にポンプ本体３を、ポンプ取付孔部１３にポンプモータ４をそれぞれ螺着することにより、ポンプブロック２をブラケット５に支持させる。従って、ポンプブロック２の組み付け、脚部１５の前記基台への取り付けを容易に行うことができる。
【００２３】
本実施形態の防振装置１によれば、ポンプブロック２は前述のようにブラケット５に支持されると共に、鍔状部４ａの下端部により防振ゴム部材７の上面に載置され、しかもブラケット５の係止部９ａ，９ｂが防振ゴム部材７の庇凹部１６ｂに係止されていることにより、その荷重が支持されている。ブラケット５は上述のように接続部材８に接続されており、接続部材８は防振ゴム部材７と一体的に形成され、接続部材８を形成する金属板１７の大部分は天板部１４に内蔵されているので、接続部材８はブラケット５にかかるポンプブロック２の荷重を支持することができる。また、天板部１４に内蔵されている金属板１７は、上部からポンプモータ４の鍔状部４ａの下端部により押圧されているので、ブラケット５に対してポンプモータ４と反対側に螺着されているポンプ本体３の荷重を支持することができる。そして、この状態でポンプモータ４を駆動すると、その振動が防振ゴム部材７により吸収され、給湯器等に該振動が伝播することを防止することができる。
【００２４】
また、本実施形態の防振装置１によれば、ポンプブロック２はブラケット５に支持され、ブラケット５を介して防振ゴム部材７の接続部材８に接続される。従って、ポンプブロック２の機種を変更するときには、ポンプブロック２の機種に応じてブラケット５の仕様を変更すればよく、防振ゴム部材７はポンプブロック２の機種によらず共通に用いることができる。
【００２５】
ところで、本実施形態の防振装置１では、図５（ａ）、図６（ａ）に示すように、天板部１４には金属板１７が内蔵されており、脚部１５の下部、接地部１９には金属板２０が内蔵されており、金属板１７，２０が防振ゴム部材７の補強材として作用する。しかし、脚部１５において、金属板１７，２０の間の部分はゴムのみからなり、補強材が含まれていない。このとき、防振装置１が備えられている給湯器等の梱包が落下する等して大きな衝撃が加わると、防振ゴム部材７は図５（ａ）、図６（ａ）に矢示する垂直方向、水平方向に大きく変形して、ポンプブロック２を支持できなくなることが懸念される。
【００２６】
そこで、本実施形態の防振装置１において、防振ゴム部材７は図５（ｂ）、図６（ｂ）に示すように、天板部１４に内蔵される金属板１７が脚部１５内部に垂下するクランク状の第１の変形規制部材２２を備え、脚部１５の下部に内蔵される金属板２０が脚部１５内部に垂直に起立する第２の変形規制部材２３を備えるものであってもよい。
【００２７】
第１の変形規制部材２２は、図７に示すように、天板部１４に内蔵される金属板１７から脚部１５内に金属板２０方向に延出される接続部２２ａと、接続部２２ａの先端から金属板１７と平行な方向に延出される腕部２２ｂと、腕部２２ｂの先端からさらに金属板２０方向に延出される先端部２２ｃとからなり、接続部２２ａ、腕部２２ｂ、先端部２２ｃによりクランク形状が形成されている。第２の変形規制部材２３は、第１の変形規制部材２２に対し、垂直方向では先端２３ａが腕部２２ｂに対向し、水平方向では第２の変形規制部材２３自体が先端部２２ｃに対向して配設されている。
【００２８】
前記構成によれば、防振ゴム部材７に梱包落下時等の大きな衝撃が加わったときに、垂直方向では、第２の変形規制部材２３の先端２３ａと、第１の変形規制部材２２の腕部２２ｂとが、防振ゴム部材７を形成するゴムを介して相互に近接することにより、脚部１５の変形が規制される。また、水平方向では、第２の変形規制部材２３自体と、第１の変形規制部材２２の先端部２２ｃとが防振ゴム部材７を形成するゴムを介して相互に近接することにより、脚部１５の変形が規制される。
【００２９】
従って、防振ゴム部材７は、梱包落下時等の大きな衝撃が加わったときにも、変形を低減することができ、ポンプブロック２を確実に支持することができる。
【図面の簡単な説明】
【００３０】
【図１】本発明の防振装置をそなえるポンプブロックの構成を示す側面図。
【図２】図１に示すブラケットの平面図。
【図３】図２のＩＩＩ−ＩＩＩ線断面図。
【図４】図１に示す防振ゴム部材の平面図。
【図５】図４のＶ−Ｖ線断面図。
【図６】図４のＶＩ−ＶＩ線断面図。
【図７】図６（ｂ）の要部拡大図。
【符号の説明】
【００３１】
１…防振装置、  ２…ポンプブロック、  ３…ポンプ、  ４…ポンプモータ、  ５…支持部材、  ７…防振ゴム部材、  ８…接続部材、  ９ａ，９ｂ…係止部材、  １４…天板部、  １５…脚部、  ２１…取付部材、  ２２…第１の変形規制部材、  ２３…第２の変形規制部材。
【図１】
2006291855.tif 000003
【図２】
2006291855.tif 000004
【図３】
2006291855.tif 000005
【図４】
2006291855.tif 000006
【図５】
2006291855.tif 000007
【図６】
2006291855.tif 000008
【図７】
2006291855.tif 000009